(57)【要約】【課題】荷物を容易に収容することができる登山用リュックサックを提供する。【解決手段】本発明は、リュックサック本体１０と、リュックサック本体１０の背面側に設けられたショルダーベルト２０とを備える登山用リュックサック１であって、リュックサック本体１０は本体開口部１１を上部に有し、本体開口部１１に沿って延在し可塑性を有する可塑性変形線状体７０が設けられ、本体開口部１１に沿って延在し、リュックサック本体１０の上下方向に連結した可塑性を有する３つ以上の可塑性変形線状材から、可塑性変形線状体７０は構成される。【選択図】図２
2014135982.tif 000002
【特許請求の範囲】
【請求項１】
リュックサック本体と、前記リュックサック本体の背面側に設けられたショルダーベルトとを備える登山用リュックサックであって、
前記リュックサック本体は本体開口部を上部に有し、
前記本体開口部に沿って延在し可塑性を有する可塑性変形線状体が設けられ、
前記本体開口部に沿って延在し、前記リュックサック本体の上下方向に連結した可塑性を有する３つ以上の可塑性変形線状材から、前記可塑性変形線状体は構成される、登山用リュックサック。
【請求項２】
前記可塑性変形線状材はポリオレフィンを主成分とする樹脂からなる、請求項１に記載の登山用リュックサック。
【請求項３】
前記可塑性変形線状材は織り込み用の糸でテープ状に形成される、請求項１または２に記載の登山用リュックサック。
【請求項４】
一方の開口部が前記本体開口部と縫合された略円筒状の雨カバーを前記リュックサック本体の上側に備え、
前記雨カバーの他方の開口部には、前記他方の開口部を窄めるための紐が設けられ、
前記可塑性変形線状体は、縫い代部分に取り付けられる、請求項１〜３のいずれか１項に記載の登山用リュックサック。
【発明の詳細な説明】
【技術分野】
【０００１】
本発明は、登山やハイキングなどに使用される登山用リュックサックに関する。
【背景技術】
【０００２】
袋の開口状態を保持するために、袋の開口部近傍に熱可塑性樹脂からなる可塑性の線状体またはテープ状物を設けた袋が従来技術として知られている（たとえば、特許文献１および特許文献２）。これにより、荷物を袋の中に容易に収容することができる。
【先行技術文献】
【特許文献】
【０００３】
【特許文献１】特開平１０−３０５８４９号公報
【特許文献２】実用新案登録第３０９９８１２号公報
【発明の概要】
【発明が解決しようとする課題】
【０００４】
特許文献１または特許文献２に記載されているような従来の熱可塑性樹脂からなる可塑性の線状体またはテープ状物を、登山用リュックサックなどのような大きな袋にそのまま使用した場合、生地への融着または接着が難しいことと、開口状態を保持することが難しい場合があった。
【課題を解決するための手段】
【０００５】
本発明は、上記課題を解決するため、以下の構成を採用した。
すなわち、本発明は、リュックサック本体と、リュックサック本体の背面側に設けられたショルダーベルトとを備える登山用リュックサックであって、リュックサック本体は本体開口部を上部に有し、本体開口部に沿って延在し可塑性を有する可塑性変形線状体が設けられ、本体開口部に沿って延在し、リュックサック本体の上下方向に連結した可塑性を有する３つ以上の可塑性変形線状材から、可塑性変形線状体は構成される。
【発明の効果】
【０００６】
本発明によれば、登山用リュックサックの中に荷物を容易に収容することができる。
【図面の簡単な説明】
【０００７】
【図１】図１は、本発明の一実施形態の登山用リュックサックの斜視図である。
【図２】図２は、雨蓋および雨カバーを開放して荷物を収容するときの本発明の一実施形態の登山用リュックサックの斜視図である。
【図３】図３は、本発明の一実施形態の登山用リュックサックに設けられた可塑性変形線状体を説明するための図である。
【図４】図４は、本発明の一実施形態の登山用リュックサックを横に倒して荷物を収容することを説明するための図である。
【図５】図５は、本発明の一実施形態の登山用リュックサックにおける可塑性変形線状体の取付方法を説明するための図である。
【発明を実施するための形態】
【０００８】
図１〜５を参照して、本発明の一実施形態における登山用リュックサック１を説明する。この登山用リュックサック１は、登山用リュックサック１の中に荷物を容易に収容することができる。なお、図１〜４に示される矢印のＡの方向が登山用リュックサック１または後述のリュックサック本体の上の方向であり、Ｂの方向が登山用リュックサック１または後述のリュックサック本体の下の方向である。
【０００９】
図１は、本発明の一実施形態の登山用リュックサック１の斜視図である。登山用リュックサック１は、リュックサック本体１０と、リュックサック本体１０の背面側に設けられたショルダーベルト２０とを備える。登山用リュックサック１は、リュックサック本体１０の背面側にウエストベルト３０をさらに備えてもよい。リュックサック本体１０は、その上部に不図示の本体開口部を有する。また、リュックサック本体１０の上側には、不図示の本体開口部を覆う不図示の雨カバーが設けられている。さらに、登山用リュックサック１には、不図示の雨カバーを覆う雨蓋４０が設けられている。雨蓋４０は、リュックサック本体１０の背面の反対側に設けられたバックル５０に固定される。
【００１０】
リュックサック本体１０は、荷物を収容する収容部分である。リュックサック本体１０には、強度が高く軽量であるナイロンおよびポリエステルなどの合成繊維が使用される。また、着用者の背負い心地を良好にするために、リュックサック本体１０の背面にスポンジを設けてもよい。着用者の背中のムレを抑制するために、リュックサック本体１０の背面にメッシュ生地をさらに設けてもよい。
【００１１】
図２は、雨蓋および雨カバー６０を開放して荷物を収容するときの本発明の一実施形態の登山用リュックサック１の斜視図である。リュックサック本体１０の上側には、略円筒状の雨カバー６０が設けられている。
【００１２】
登山用リュックサック１に荷物を収容するとき、バックル５０から雨蓋を外し、雨蓋を開放する。次に、リュックサック本体１０の本体開口部１１を覆う雨カバー６０を、図２に示すように開放する。そして、雨カバー開口部６１から本体開口部１１を通して荷物を登山用リュックサック１の中に収容する。
【００１３】
雨カバー６０の雨カバー開口部６１には、雨カバー開口部６１を窄めて閉鎖するための紐６２が設けられている。紐６２の両端側の部分は、雨カバー開口部６１近傍に設けられた穴６３から外部に延出している。紐６２の外部に延出している部分にはコードロック６４が通されている。雨カバー開口部６１を窄めた後、コードロック６４を穴６３近傍に移動させ、コードロック６４を紐６２に固定することによって、雨カバー開口部６１の窄んだ状態を保持することができる。これにより、雨などが登山用リュックサック１の中に浸入することを抑制できる。雨カバー開口部６１が窄んだ状態の雨カバー６０の上に雨蓋４０（図１参照）を被せることによって、雨などが登山用リュックサック１の中に浸入することをさらに抑制できる。
【００１４】
一方、雨カバー６０の雨カバー開口部６１を開放するときは、コードロック６４を紐６２の端の方に移動させる。その結果、雨カバー開口部６１の窄んだ状態は保持されなくなり、雨カバー６０の雨カバー開口部６１を開放できる。
【００１５】
雨カバー６０には、可撓性が高く防水性の高い、ナイロンなどの合成繊維の生地が使用される。
【００１６】
登山用リュックサック１の中に荷物を収容するとき、リュックサック本体１０の本体開口部１１の開口状態は保持されていることが好ましい。これにより、登山用リュックサック１の中に荷物を収容するとき、片手を使用して本体開口部１１の開口状態を保持する必要はなくなり、両手を使用して登山用リュックサック１の中に荷物を収容することができる。したがって、登山用リュックサック１の中に荷物を容易に収容することができる。
【００１７】
本発明の一実施形態における登山用リュックサック１では、本体開口部１１の開口状態は保持するために、本体開口部１１に沿って延在し可塑性を有する可塑性変形線状体７０が設けられている。本明細書では、可塑性とは、可塑性変形線状体７０に外力を加えて変形させた後、力を取り去っても元の形状に戻らない性質をいう。また、本明細書では、可塑性が高いとは、可塑性変形線状体７０における、外力を加えて変形させた形状を保持させる能力が高いことをいう。
【００１８】
図３は、本発明の一実施形態の登山用リュックサック１に設けられた可塑性変形線状体７０を説明するための図である。図３（ａ）は、可塑性変形線状体７０の全体を示す概略図であり、図３（ｂ）は、可塑性変形線状体７０の断面を示す断面概略図である。
【００１９】
可塑性変形線状体７０は、連結した３つの可塑性変形線状材７１ａ〜７１ｃから構成される。可塑性変形線状材７１ａ〜７１ｃは、本体開口部１１に沿って本体開口部１１に延在する。また、可塑性変形線状材７１ａ〜７１ｃは、リュックサック本体１０の上下方向に連結していることが好ましい。これにより、リュックサック本体１０の内面に沿って、可塑性変形線状体７０を設けることができる。
【００２０】
可塑性変形線状材７１ａ〜７１ｃは可塑性を有する線状材であればとくに限定されない。しかし、可塑性変形線状材７１ａ〜７１ｃは樹脂からなるものが好ましい。これにより、可塑性変形線状材７１ａ〜７１ｃが水に濡れてもさびない。可塑性変形線状材７１ａ〜７１ｃに好ましい、樹脂からなる可塑性変形線状材には、たとえば、特開昭６１−２８２４１６号公報に開示されている、ポリエチレンを強く圧縮延伸したプラスチックワイヤーや、特開平２−２９３４０７号公報に開示されている、ポリオレフィンを強く圧縮延伸したプラスチックワイヤーや、特開平７−２３８４１７号公報に開示されているポリエチレン溶融固化物またはそのポリエチレンと他のポリオレフィンとの混合溶解固化物を延伸して可塑性が付与された延伸物などがある。可塑性が高いことから、可塑性変形線状材７１ａ〜７１ｃは、ポリオレフィンを主成分とする樹脂からなることが好ましい。
【００２１】
可塑性変形線状材７１ａ〜７１ｃは、略矩形形状の断面形状を有することが好ましい。これにより、リュックサック本体１０または雨カバー６０の内面において、可塑性変形線状体７０の出っ張りを小さくすることができる。しかし、可塑性変形線状材の断面の形状は略矩形形状に限定されない。たとえば、可塑性変形線状材の断面の形状は、円形、楕円形、正方形、三角形、星形などの形状でもよい。
【００２２】
可塑性変形線状材７１ａ〜７１ｃは、織り込み用の糸７２を使用して連結され、テープ状に形成される。これにより、可塑性変形線状体７０の長さ方向に可塑性変形線状体７０を曲げやすくなり、リュックサック本体１０の内面に可塑性変形線状体７０を適合させることができる。たとえば、図３に示す可塑性変形線状体７０の場合、可塑性変形線状材７１ａ〜７１ｃの矩形形状の断面における短辺７４が相互に対向するように、可塑性変形線状材７１ａ〜７１ｃは配置される。そして、織り込み用の糸７２は、可塑性変形線状材７１ａ〜７１ｃを包むように織り込まれる。織り込み用の糸７２には、たとえば、強度の高いポリプロピレン、ナイロン、ポリエステル、ポリエチレン、ビニロンなどの合成繊維が用いられる。
【００２３】
可塑性変形線状体７０は、連結した３つの可塑性変形線状材７１ａ〜７１ｃから構成される。このため、可塑性変形線状体７０は、１つの可塑性変形線状材のみからなる可塑性変形線状体に比べて高い可塑性を有する。これにより、登山用リュックサック１のような大きな袋であっても、本体開口部１１の開口状態を保持することができ、袋の中に荷物を容易に収容することができる。なお、本体開口部１１の開口状態を保持する力をさらに大きくするために、可塑性変形線状体は、連結した４つ以上の可塑性変形線状材から構成されるようにしてもよい。
【００２４】
図４に示すように、登山用リュックサック１に荷物９０を収容するとき、登山用リュックサック１を横に倒す場合がある。この場合も、可塑性変形線状体７０は、連結した３つ以上の可塑性変形線状材７１ａ〜７１ｃから構成されるため、本体開口部１１の開口状態を保持することができ、袋の中に荷物を容易に収容することができる。したがって、可塑性変形線状体７０は、登山用リュックサック１に用いる可塑性の線状体またはテープ状物に非常に好適である。
【００２５】
可塑性変形線状体７０は以下のようにして登山用リュックサック１に取り付けられる。図５は、本発明の一実施形態の登山用リュックサック１における可塑性変形線状体７０の取付方法を説明するための図である。図５は、図１に示す登山用リュックサック１の符号Ｃの部分に該当する。なお、図５の矢印Ｄは登山用リュックサック１の内側を示し、矢印Ｅは登山用リュックサック１の外側を示す。
【００２６】
本体開口部１１において、雨カバー６０における上述の雨カバー開口部６１の反対側の雨カバー開口部６５（図２参照）とリュックサック本体１０の本体開口部１１とは縫合されている。そして、縫い代部分８１に可塑性変形線状体７０は取り付けられる。これにより、本体開口部１１に沿って可塑性変形線状体７０を容易に設けることができる。
【００２７】
図５の符号８２、８３は、縫合部分を示す。図５に示すように、可塑性変形線状体７０は、隣接する可塑性変形線状材７１ａ〜７１ｃの間とリュックサック本体１０とを縫合することにより取り付けられる。
【００２８】
織り込み用の糸７２による加工は、可塑性変形線状体７０の長さ方向のほぼ全体にわたって施されている。このため、可塑性変形線状体７０の長さ方向のほぼ全体にわたってリュックサック本体１０に可塑性変形線状体７０を縫合することができる。これにより、可塑性変形線状体７０の一部分がリュックサック本体１０から剥がれることがない。可塑性変形線状体７０は、幅方向（ＡＢ方向）への縫合も可能で、塑性変形線状体７０の一部分がリュックサック本体１０から突出することをさらに抑制することができる。
【００２９】
以上の本発明の一実施形態による登山用リュックサック１は、次のような作用効果を奏する。
（１）リュックサック本体１０は、本体開口部１１を上部に有し、本体開口部１１に沿って延在し可塑性を有する可塑性変形線状体７０が設けられ、本体開口部１１に沿って延在し、リュックサック本体１０の上下方向に連結した可塑性を有する３つ以上の可塑性変形線状材７１ａ〜７１ｃから、可塑性変形線状体１０は構成されるようにした。これにより、登山用リュックサック１の中に荷物を収容するとき、片手を使用して開口状態を保持する必要がなく、とくに登山用リュックサック１を横に倒して荷物９０を収容するとき、登山用リュックサック１の本体開口部１１の開口状態を保持することができ、登山用リュックサック１の中に荷物を容易に収容することができる。
【００３０】
（２）可塑性変形線状材７１ａ〜７１ｃはポリオレフィンを主成分とする樹脂からなるようにした。これにより、可塑性変形線状体７０をさびないようにすることができるとともに、可塑性変形線状体７０の可塑性を高くすることができる。
【００３１】
（３）可塑性変形線状材７１ａ〜７１ｃは、織り込み用の糸７２でテープ状に形成されるようにした。これにより、可塑性変形線状体７０の長さ方向に可塑性変形線状体７０を曲げやすくなり、リュックサック本体１０の内面に可塑性変形線状体７０を適合させることができる。
【００３２】
（４）雨カバー開口部６５が本体開口部１１と縫合された略円筒状の雨カバー６０をリュックサック本体１０の上側に備え、雨カバー開口部６１には、雨カバー開口部６１を窄めるための紐が設けられ、可塑性変形線状体７０は、縫い代部分８１に取り付けられるようにした。これにより、本体開口部１１に沿って可塑性変形線状体７０を容易に設けることができる。
【００３３】
以上の説明はあくまで一例であり、本発明は上記実施形態の構成になんら限定されるものではない。
【符号の説明】
【００３４】
１    登山用リュックサック
１０    リュックサック本体
１１    本体開口部
２０    ショルダーベルト
３０    ウエストベルト
４０    雨蓋
５０    バックル
６０    雨カバー
６１，６５    雨カバー開口部
６２    紐
６３    穴
６４    コードロック
７０    可塑性変形線状体
７１ａ〜７１ｃ    可塑性変形線状材
７２    織り込み用の糸
８１    縫い代部分
８２，８３    縫合部分
９０    荷物
【図１】
2014135982.tif 000003
【図２】
2014135982.tif 000004
【図３】
2014135982.tif 000005
【図４】
2014135982.tif 000006
【図５】
2014135982.tif 000007